(57)【要約】      （修正有）【課題】どのような撮影レンズが装着されても短いレリーズタイムラグで適切な露光を行うことを可能にする。【解決手段】撮像装置１に装着され、撮像手段５に入射する被写体光量を調整する絞り手段１４を有する撮影レンズ１１、撮影レンズ１１の絞り段数を設定する絞り段数設定手段２１、撮影レンズ１１から送られてきた、絞り段数とこの絞り段数による絞り駆動時間との関係の情報及び絞り段数設定手段２１により設定された絞り段数より絞り手段の動作を開始してから終了するまでの時間を演算する絞り時間演算手段２２とを設け、レリーズに応じて撮影レンズ１１の絞り手段１４の動作を開始し、絞り時間演算手段２２が演算した絞り手段１４の動作を開始してから終了するまでの時間、及びシャッターの動作を開始してから、撮像手段５の開放を行うまでの時間に応じてシャッター４の開放動作を開始する。【選択図】図１
2017003629.tif 000002
【特許請求の範囲】
【請求項１】
被写体光を撮像する撮像手段５及び前記撮像手段の受光面の開放と遮光を行うシャッター４を設ける撮像装置において、
上記撮像装置に装着され、撮像手段に入射する被写体光量を調整する絞り手段１４を有する撮影レンズ１１、
上記撮影レンズの絞り段数を設定する絞り段数設定手段  21、
上記撮影レンズから送られてきた、絞り段数とこの絞り段数による絞り駆動時間との関係の情報及び上記絞り段数設定手段により設定された絞り段数より絞り手段の動作を開始してから終了するまでの時間を演算する絞り時間演算手段  ２２
とを設け
レリーズに応じて上記撮影レンズの絞り手段の動作を開始し、
上記絞り演算手段が演算した絞り手段の動作を開始してから終了するまでの時間、及び上記シャッターの動作を開始してから、上記撮像手段の開放を行うまでの時間に応じて上記シャッターの開放動作を開始することを特徴とする撮像装置。
【請求項２】
請求項１に記載の撮像装置において、
装着された撮影レンズが
絞り段数とこの絞り段数による絞り駆動時間との関係の情報を撮像装置に送る第１のグループか
撮像装置内に絞り段数とこの絞り段数による絞り駆動時間との関係の情報を有する第２のグループか
第１及び第２以外の撮影レンズの第３のグループか
を判別する撮影レンズ判別手段２３と
前記絞り手段を通過した被写体光の光量を検出する光量検出手段３を有し、
上記絞り時間演算手段  ２２が、
装着された撮影レンズが第１のグループの撮影レンズの場合は、上記撮影レンズから送られてきた、絞り段数とこの絞り段数による絞り駆動時間との関係の情報、
装着された撮影レンズが第２のグループの撮影レンズの場合は、撮像装置内に有する絞り段数とこの絞り段数による絞り駆動時間との関係の情報
及び上記絞り段数設定手段により設定された絞り段数より絞り手段の動作を開始してから終了するまでの時間を演算し、
撮像装置が、レリーズに応じて、上記絞り演算手段が演算した絞り手段の動作を開始してから終了するまでの時間及び上記シャッター手段の動作を開始してから、上記撮像手段の開放を行うまでの時間に応じて上記シャッターの開放動作を開始し
装着された撮影レンズが第３のグループの撮影レンズの場合は
撮像装置が、レリーズに応じて、上記絞り手段の動作及び上記光量検出手段が前記絞り手段を通過した被写体光の光量の検出を開始し、検出された光量から絞り手段の動作を開始してから終了するまでの時間を演算し、演算された時間及び上記シャッター手段の動作を開始してから、上記撮像手段の開放を行うまでの時間に応じて上記シャッターの開放動作を開始する
ことを特徴とする撮像装置。
【発明の詳細な説明】
【技術分野】
【０００１】
本発明は、シャッターを有する撮像装置に関する。
【背景技術】
【０００２】
従来、電子スチルカメラには、撮像手段と、撮影レンズに設けられ前記撮像手段の受光面に入射する光量を調整する絞り手段と、前記撮像手段の開放を行う先幕及び前記撮像手段の受光面の遮光を行う後幕を備える機械シャッター手段とを備えたものがある。
【０００３】
図５は従来の電子スチルカメラのレリーズから露光終了までのレリーズシーケンスのタイムチャート図である。同図において、レリーズ操作であるスイッチ（SW2）がオンされると、それに応じて絞り駆動を開始し、絞り駆動が終了したら、撮像手段の蓄積を開始し、機械シャッター手段の先幕の走行動作が開始し、所定時間後に機械シャッター手段の後幕の走行動作が開始する。
【０００４】
機械シャッター手段の先幕の走行が終了し、機械シャッター手段の後幕の走行が終了したのちに撮像手段は蓄積を停止し、転送処理である読みだし動作を行う。また、上記機械シャッター手段において、先幕の走行を開始してから、先幕がアパチャに到達し、実際に撮像手段の開放を行うまでには時間(この時間を先幕タイムラグと呼ぶ)を必要とする。また、上記絞り手段の駆動に要する時間は、絞り段数によって異なり、さらに交換レンズ等で撮影レンズが異なると撮影レンズごとに絞り駆動に要する時間が異なる。
【０００５】
上記従来例では、絞り駆動が終了したのち、機械シャッター手段の先幕の走行動作を開始しているため、上記レリーズタイムラグが
レリーズタイムラグ＝絞り駆動時間＋先幕タイムラグ
となりレリーズしてから実際に撮影が行われるまでの時間が長く、動きの速い被写体等では撮影の決定的瞬間を逃してしまうという点がある。
【０００６】
特許文献１では、レリーズ操作とほぼ同時に機械シャッター手段の先幕の走行の動作を開始することが開示されている。特許文献2では、あらかじめカメラ内のメモリーに絞りの絞り段数に対する駆動時間のデータを記憶しておき、その時間データに基づいてカメラのレリーズシーケンスを最適な制御とすることが開示されている。特許文献3では、カメラが露光動作における遅延時間情報を撮影レンズにおくり、撮影レンズは絞り込み駆動が終了していなくても、上記遅延時間がくればカメラに絞り完了信号を送り、カメラは上記絞り完了信号を受け機械シャッター手段の先幕の走行が動作を開始することが開示されている。
【先行技術文献】
【特許文献】
【０００７】
【特許文献１】特開平９−218434号公報
【特許文献２】特開2003−101875号公報
【特許文献３】特開2006−208897号公報
【発明の概要】
【発明が解決しようとする課題】
【０００８】
上記特許文献１及び特許文献3の場合、レリーズタイムラグの間に上記絞り駆動手段の駆動が終了しない場合には、露光開始後にも絞り込みが行われるために適切な露光が行われない問題がある。
【０００９】
上記特許文献２の場合には、カメラと撮影レンズが一体になっている場合であればこの問題は支障ないと考えられるが、レンズ交換式カメラの場合には実際の絞り駆動時間は装着される交換レンズ種類によって違いが発生し、カメラに記憶する絞り駆動時間は、各種撮影レンズの最大絞時間となってしまうために、絞り駆動時間が早い交換レンズが装着された場合には、効果が少なくなってしまう。また、交換レンズの種類だけ絞り段数に対する駆動時間のデータを記憶すると多くのメモリーを必要とし、また新しい撮影レンズの場合にはデータが対応できない問題が生じる。
【００１０】
そこで、本発明の目的は、撮像装置において、どのような撮影レンズが装着されても短いレリーズタイムラグで適切な露光を行うことである。
【課題を解決するための手段】
【００１１】
上記目的を達成するために、本発明は、
被写体光を撮像する撮像手段及び前記撮像手段の受光面の開放と遮光を行うシャッターを設ける撮像装置において、
上記撮像装置に装着され、撮像手段に入射する被写体光量を調整する絞り手段を有する撮影レンズ、
上記撮影レンズの絞り段数を設定する絞り段数設定手段、
上記撮影レンズから送られてきた、絞り段数とこの絞り段数による絞り駆動時間との関係の情報及び上記絞り段数設定手段により設定された絞り段数より絞り手段の動作を開始してから終了するまでの時間を演算する絞り時間演算手段
とを設け
レリーズに応じて上記撮影レンズの絞り手段の動作を開始し、
上記絞り演算手段が演算した絞り手段の動作を開始してから終了するまでの時間、及び上記シャッターの動作を開始してから、上記撮像手段の開放を行うまでの時間に応じて上記シャッターの開放動作を開始することを特徴とする。
【発明の効果】
【００１２】
本発明によれば、撮像装置において、どのような撮影レンズが装着されても短いレリーズタイムラグで適切な露光を行うことを可能にする。
【図面の簡単な説明】
【００１３】
【図１】本発明の撮像装置のブロック線図
【図２】本発明の撮像装置の動作を表すフローチャート
【図３】本発明の撮像装置の動作を表すタイムチャート
【図４】本発明の撮像装置の動作を表すタイムチャート
【図５】従来例の撮像装置の動作を表すタイムチャート
【発明を実施するための形態】
【００１４】
以下に、本発明の好ましい実施の形態を、添付の図面に基づいて詳細に説明する。図１は、本発明の撮像装置のブロック線図、図２は、本発明の撮像装置の動作を表すフローチャート、図３及び図４は、本発明の撮像装置の動作を表すタイムチャートである。
【００１５】
［実施例１］
以下、図１を参照して、本発明の第1の実施例による、撮像装置について説明する。図において、１は本発明の撮像装置、２は撮像装置のすべての制御を行うカメラマイコン、３は後述する撮影レンズ１０の絞り１４を通過した被写体光の光量を検出する光量検出手段、４は後述する撮像手段５の受光面の開放を行う先幕と遮光を行う後幕を設けたシャッター、５は被写体像を電気信号に変換する撮像手段、６は撮影開始を指示するスイッチSW2である。
【００１６】
カメラマイコン２は所定のタイミングでシャッター４の先幕及び後幕を駆動し撮像手段を所定の時間露光する。２１は絞り手段１４の絞り段数を設定する絞り段数設定手段、またカメラマイコン２１は、絞り手段１４の絞り時間を演算する絞り時間演算手段２３、撮像装置１に装着された撮影レンズ１１の種類を判別する撮影レンズ判別手段が接続されている。またカメラマイコン２は所定のタイミングで撮像手段５の蓄積及び読みだしを行うことにより被写体像を電気信号に変換する。
【００１７】
１１は本発明の撮影レンズであり、１２は撮影レンズすべての制御を行うレンズマイコン、１３は被写体像を撮像手段５の結像させるレンズ、１４は撮像手段に入射する被写体光量を調整する絞り手段である。レンズマイコン１２は、カメラと通信を行い、カメラの信号により、不図示のレンズ駆動手段によりレンズ１３を駆動しピント調整を行い、不図示の絞り駆動装置により絞り装置１４の駆動を行い被写体光量を調整する。
【００１８】
また、カメラマイコン２とレンズマイコン１２の間では通信が行われており、レンズマイコン２はレンズのID 、焦点距離、解放絞り、絞り段数とこの絞り段数による絞り駆動時間との関係の情報等の情報をカメラマイコン２に送り、カメラマイコン２はピント調整に関する情報、絞り込み段数等の情報及びピント調整のためにレンズ１３を駆動するタイミングの信号、絞り１４を駆動するタイミングの信号等をレンズマイコン１２に送る。
【００１９】
図２は本発明の撮像装置のシャッター走行開始までの動作を示すフローチャートである。図２を用いて本発明の撮像装置のシャッター走行開始までの動作を説明する。
【００２０】
Ｓ０：スタート
不図示の撮像装置１の撮影開始手段により、撮影が開始される
Ｓ１：レンズ通信
カメラマイコン２とレンズマイコン１２の間で通信が行われる。
カメラマイコン２とレンズマイコン１２の間で各種情報の授受を行われるとともに、カメラマイコン１２からレンズマイコン２に対し、ピント調整のためのレンズ１３の駆動開始の信号が送られる。
【００２１】
Ｓ２：撮影準備
絞り段数設定手段  21はカメラマイコン２に絞り段数を入力する
撮影レンズ１１はピント調整のためレンズ１３を駆動し撮影準備を行う
Ｓ３：SW2ON
撮影開始スイッチSW2をオンし、撮影を開始する
Ｓ４：第１グループレンズか
カメラマイコン２内の撮影レンズ判別手段２３が撮影レンズ１１が、絞り段数とこの絞り段数による絞り駆動時間との関係の情報を撮像装置に送る第１のグループかどうか判断する。
YESの場合はS5にすすみ、NOの場合はS10に進む
Ｓ５：絞り込み開始
カメラマイコン２はレンズマイコン１２に絞り段数の情報を送るとともに絞り込み開始の信号を送る。
レンズマイコン１２は上記信号を受け、不図示の絞り駆動装置により、絞り込みを開始する。
【００２２】
Ｓ６：絞り込み時間T0演算
カメラマイコン２内の絞り時間演算手段 ２２は撮影レンズ１１から得た絞り段数とこの絞り段数による絞り駆動時間との関係の情報及び絞り段数設定手段  21により設定された絞り段数より絞り込み時間T0を演算する
Ｓ７：シャッタースタートタイミングT3演算
カメラマイコン２は、
シャッタースタートタイミング：T3
絞り込み時間：T0
シャッター先幕走行開始から、先幕が撮像手段５を開放を開始するまでの時間  先幕タイムラグ：ST
としたときに
T3＝T0−ST
と設定する
Ｓ８：タイマーT2スタート
カメラマイコン２はタイマーT2をスタートする
Ｓ９：T2＞T3か判断する
NOならS9にすすみ
YESなら、S25に進む。
【００２３】
Ｓ１０：第２グループレンズか
カメラマイコン２内の撮影レンズ判別手段  ２３が撮影レンズ１１が、絞り段数とこの絞り段数による絞り駆動時間との関係の情報を撮像装置内に有する送る第２のグループかどうか判断する。
YESの場合はS１１にすすみ、NOの場合はS16に進む
Ｓ１１：絞り込みスタート
カメラマイコン２はレンズマイコン１２に絞り段数の情報を送るとともに絞り込み開始の信号を送る。
レンズマイコン１２は上記信号を受け、絞り駆動装置により、絞り込みを開始する。
【００２４】
Ｓ１２：絞り込み時間T00演算
カメラマイコン２内の絞り時間演算手段  ２２は像装置内に有する絞り段数とこの絞り段数による絞り駆動時間との関係の情報及び絞り段数設定手段  21により設定された絞り段数より絞り込み時間T00を演算する
Ｓ１３：シャッタースタートタイミングT3演算
カメラマイコン２は、
シャッタースタートタイミング：T3
絞り込み時間：T00
シャッター先幕走行開始から、先幕が撮像手段５を開放を開始するまでの時間  先幕タイムラグ：ST
としたときに
T3＝T00−ST
と設定する
Ｓ１４：タイマーT2スタート
カメラマイコン２はタイマーT2をスタートする
Ｓ１５：T2＞T3か判断する
NOならS15にすすみ
YESなら、S25に進む。
【００２５】
Ｓ１６：光量検出
光量検出手段３は撮影レンズ１０の絞り１４を通過した被写体光の光量X１を検出する。
【００２６】
Ｓ１７：タイマーTスタート
カメラマイコン２はタイマーTをスタートする
Ｓ１８：絞り込みスタート
カメラマイコン２はレンズマイコン１２に絞り段数の情報を送るとともに絞り込み開始の信号を送る。
レンズマイコン１２は上記信号を受け、絞り駆動装置により、絞り込みを開始する。
【００２７】
Ｓ１９：T>T1
Tがあらかじめ設定した時間T1より大きいか判断する
YESならS20に進みNOならS19に進む
Ｓ２０：光量検出
光量検出手段３は撮影レンズ１０の絞り１４を通過した被写体光の光量X2を検出する。
【００２８】
Ｓ２１：絞り込み時間T000演算
カメラマイコン２は光量X1及びX2及び絞り段数設定手段  21により設定された絞り段数X3より絞り込み時間T000を演算する
T000=T1・X3・LOG２(X2/X1)−T1
Ｓ２２：シャッタースタートタイミングT3演算
カメラマイコン２は、
シャッタースタートタイミング：T3
絞り込み時間：T000
シャッター先幕走行開始から、先幕が撮像手段５を開放を開始するまでの時間  先幕タイムラグ：ST
としたときに
T3＝T000−ST
と設定する
Ｓ２３：タイマーT2スタート
カメラマイコン２はタイマーT2をスタートする
Ｓ２４：T2＞T3か判断する
NOならS24にすすみ
YESなら、S25に進む。
【００２９】
Ｓ２５：カメラマイコン２はシャッター４の先幕をスタートさせる
図３のタイムチャートを用いて本実施例の第１グループレンズ及び第２グループレンズ場合についての動作を説明する。撮影開始スイッチSW2をオンし、撮影を開始すると同時に絞り駆動が開始される。カメラマイコン２は上記フローチャートにより絞り駆動時間T0またはT00及びシャッタースタートタイミングT3を演算する。
SW２ON後T3でシャッター４の先幕が走行を開始する。
シャッターの走行を開始してから、先幕タイムラグST後にシャッターの先幕は撮像手段５を開放し始める。
T3=（T00  or  T0）−ST
の関係があるために、絞り駆動が終了する時間とシャッターの先幕が撮像手段５を開放し始める時間が一致する。
【００３０】
そのために、撮像手段５が露光されるときには絞り駆動が完了しており、適切な露光が行われる。また、絞り駆動の時間の中に先幕タイムラグが含まれるために、レリーズ操作を開始（SW2ON）してから実際に露光が開始するまでの時間レリーズタイムラグを短くできる。
【００３１】
図４のタイムチャートを用いて本実施例の第３グループレンズの場合についての動作を説明する撮影開始スイッチSW2をオンし、撮影を開始すると光量検出手段３が光量を検出するとともに同時に絞り駆動が開始される。撮影開始スイッチSW2をオンしてからT１後に光量検出手段３が光量を検出する。カメラマイコン２は上記フローチャートにより絞り駆動時間T000及びシャッタースタートタイミングT3を演算する。SW２ON後T1＋T3でシャッター４の先幕が走行を開始する。
【００３２】
シャッターの走行を開始してから、先幕タイムラグST後にシャッターの先幕は撮像手段５を開放し始める。
T1+T000＝T1＋T3＋ST
の関係があるために、絞り駆動が終了する時間とシャッターの先幕が撮像手段５を開放し始める時間が一致する。そのために、撮像手段５が露光されるときには絞り駆動が完了しており、適切な露光が行われる。また、絞り駆動の時間の中に先幕タイムラグが含まれるために、レリーズ操作を開始（SW2ON）してから実際に露光が開始するまでの時間レリーズタイムラグを短くできる。
【符号の説明】
【００３３】
１  撮像装置、２  カメラマイコン、３  光量検出手段、４  シャッター、
１１  撮影レンズ、１２  レンズマイコン、１３  レンズ、１４  絞り手段
【図１】
2017003629.tif 000003
【図２】
2017003629.tif 000004
【図３】
2017003629.tif 000005
【図４】
2017003629.tif 000006
【図５】
2017003629.tif 000007